(57)【要約】【課題】パン本来の外観、風味や食感を保つとともに、高級感を有する包装箱入りパンを提供する。【解決手段】包装箱１１に複数のパン１０が収納された包装箱入りパンであって、前記複数のパン１０を並べて載置する底面部と、前記底面部の外周部分に立設され、底面部に前記複数のパン１０が並べられたとき、自身の内側面が前記底面部の端部に収納された各パン１０に接する幅員および奥行きを有する外周壁部２１とを備える前記包装箱１１に収納されることを特徴とする。【選択図】図１
0003189011.tif 000002
【実用新案登録請求の範囲】
【請求項１】
包装箱に複数のパンが収納された包装箱入りパンであって、
前記複数のパンを並べて載置する底面部と、
前記底面部の外周部分に立設され、底面部に前記複数のパンが並べられたとき、自身の内側面が前記底面部の端部に収納された各パンに接する幅員および奥行きを有する外周壁部と、
を備える前記包装箱に収納される、
ことを特徴とする包装箱入りパン。
【請求項２】
前記包装箱は、開口部を下方に有する箱状に形成されて前記開口部の下端部を前記外周壁部に支持される蓋部を備え、
前記蓋部によって、前記底面部に並べられた複数のパンが上方から覆われる、
ことを特徴とする請求項１に記載の包装箱入りパン。
【請求項３】
前記包装箱は、ラッピングフィルムを備え、
前記ラッピングフィルムによって、前記外周壁部の内側面から前記底面部に並べられた複数のパンの上部が包まれる、
ことを特徴とする請求項１または２に記載の包装箱入りパン。
【考案の詳細な説明】
【技術分野】
【０００１】
本考案は、包装用の箱に複数詰められた包装箱入りパンに関する。
【背景技術】
【０００２】
一般的にパンを販売するときには、パン本体を包装袋などに包んで購入者に譲り渡している。特に菓子パンなどを店頭販売するときには、パンを一品ごとに包装することが多く、例えば樹脂フィルムを折りたたむことによって適当な大きさの袋状に形成し、この包装袋にパン本体を収納した後、袋端部を密封するものがある（例えば、特許文献１参照）。
【０００３】
また、複数個のロールパン等を一つにまとめて包装する場合には、所定個数のパンを一つの袋状体に収納し、袋状体の開口部をクロージャー等の結束具で結束して、繰り返し開閉することができるように構成している（例えば、特許文献２参照）。
このように開口部を結束する場合、袋状体は結束部分付近が狭くなって収納スペースが確保できなくなるため、袋状体は内容量に比べて相当大きなサイズが必要になる。このような大きさの袋状体に複数のパンを収納すると、内部で各パンが自由に移動するため、開口部を結束した袋状体は雑然とパンを収納しているような外観になる。
【先行技術文献】
【特許文献】
【０００４】
【特許文献１】特開２００４−２６２５１９号公報
【特許文献２】特開平１０−１２９６８５号公報
【考案の概要】
【考案が解決しようとする課題】
【０００５】
従来のパンは以上のように包装されているので、外力等が加わると包装されたパン本体に圧力が加わり、かた崩れや局部的なつぶれが生じることがあり、本来の外観や食感等が損なわれてしまう。また、包装形態については衛生面が重要視され、高品質に製造されたパンに相応の包装が行われていないという問題点があった。
【０００６】
本考案は、上記のような課題を解決するためになされたもので、パン本来の外観、風味や食感を保つとともに、高級感を有する包装箱入りパンを提供することを目的とする。
【課題を解決するための手段】
【０００７】
この考案に係る包装箱入りパンは、包装箱に複数のパンが収納された包装箱入りパンであって、前記複数のパンを並べて載置する底面部と、前記底面部の外周部分に立設され、底面部に前記複数のパンが並べられたとき、自身の内側面が前記底面部の端部に収納された各パンに接する幅員および奥行きを有する外周壁部と、を備える前記包装箱に収納されることを特徴とする。
【０００８】
また、前記包装箱は、開口部を下方に有する箱状に形成されて前記開口部の下端部を前記外周壁部に支持される蓋部を備え、前記蓋部によって、前記底面部に並べられた複数のパンが上方から覆われることを特徴とする。
【０００９】
また、前記包装箱は、ラッピングフィルムを備え、前記ラッピングフィルムによって、前記外周壁部の内側面から前記底面部に並べられた複数のパンの上部が包まれることを特徴とする。
【考案の効果】
【００１０】
この考案によれば、包装箱の外部から押圧が加えられた場合に、収納されているパンには外部からの押圧が伝わらないため、変形やつぶれなどを防ぐことができ、ふっくら感を維持することができ、パンの品質ならびに外観を保つことができる。
【図面の簡単な説明】
【００１１】
【図１】本実施例の包装箱入りパンの概観を示す斜視図である。
【図２】蓋部を装着した包装箱入りパンの概観を示す斜視図である。
【考案を実施するための形態】
【００１２】
以下、この考案の実施の一形態を図に基づいて説明する。
【実施例】
【００１３】
図１は、本実施例の包装箱入りパンの概観を示す斜視図である。この図は、略ボール状のパン１０を複数個、例えば９個のパン１０を包装箱１１に収納した状態を示している。
パン１０は、例えばパン生地等を単品に形成して焼き上げたもので、ロールパンやマフィン等のように略ボール状に形成されたパンである。なお、パン１０の形状は略ボール状に限定されず、クロワッサン等のように長形に形成されたものでもよい。
包装箱１１は、パン１０を複数個収納する収納部１１ａを有し、例えば厚紙を折り曲げて形成されている。収納部１１ａは、包装箱１１の底面部（図示省略）と、例えば底面部の外周部分に沿って立設された外周壁部２１とを備え、上方に開口部を有する箱状に形成されている。なお、包装箱１１は、上記の厚紙以外に、合成樹脂、軽金属などを用いて構成してもよく、また、これらの材質を混在使用して装飾等を加えて形成したものでもよい。
【００１４】
収納部１１ａは、特に、外周壁部２１の強度を高めるため、上記の厚紙が二重となるように折り曲げて、この部分を適当な厚さに形成し、上下方向や側方からの外力（例えば、搬送時の積み重ね荷重程度）にそれぞれ耐えることができるように構成されている。前述の底面部についても、外周壁部２１と同様な強度・耐性を有することが好ましい。
収納部１１ａの大きさは、収納するパン１０の大きさ、および個数に対応しており、外周壁部２１は、例えば収納するパン１０と概ね同じ高さ、少なくとも搬送時などの揺れ等によって、（後述する蓋部１１ｂ等を外した状態においても、）収納されているパン１０が収納箱１１ａの外部へ飛び出さない程度の高さを有している。また、幅員および奥行きは、当該外周壁部２１に囲まれた底面部に、所定個数の例えば９個のパン１０を隙間なく並べて収納することができる寸法である。
【００１５】
詳しくは、外周壁部２１は、収納部１１ａの底面部に各パン１０を並べて収納したとき、隣り合う各パン１０が互いに触れ合ってつぶれることなく載置することができ、また、各パン１０が容易に移動してしまう隙間が生じない程度に、密に並ぶことができる大きさに形成されている。
換言すると、収納部１１ａの底面部全体に各パン１０を並べて収納したとき、底面部の端部側（外周側）に載置された各パン１０の側端が、当該外周壁部２１の内側面に軽く接する程度の幅員および奥行きを有するように設けられている。
【００１６】
収納部１１ａに収納された複数のパン１０は、例えば透明なラッピングフィルム１２によって上方から側方に渡って包まれている。ラッピングフィルム１２は、外周壁部２１に囲まれた各パン１０の露出部分を覆っており、例えば図中前側の外周壁部２１の内側面に接している（好ましくは固定されている）部分と、図中奥側の外周壁部２１の内側面に接している（好ましくは固定されている）部分とを有し、９個のパン１０を収納した収納部１１ａの中央部分、もしくはその近傍で重なり合う。ラッピングフィルム１２の合せ目には、例えば封止シール１３が貼り付けられ、ラッピングフィルム１２の重ね合わせた端部を固定している。ラッピングフィルム１２は、上記のように各パン１０の上部を包装して装飾し、また、好ましくは保湿を行う。
【００１７】
図２は、蓋部を装着した包装箱入りパンの概観を示す斜視図である。この図は、図１に示した収納部１１ａに蓋部１１ｂを装着した状態を示したものである。
蓋部１１ｂは、例えば収納部１１ａと同様に厚紙を折り曲げて、下方に開口した箱状に形成されている。また、収納部１１ａに装着したとき、ラッピングフィルム１２に覆われている各パン１０を上方からつぶすことなく、好ましくは収納された全てのパン１０に触れることがないように構成されている。
蓋部１１ｂは、上方から収納部１１ａを覆うように装着され、当該蓋部１１ｂの下端部が収納部１１ａの外周壁部２１に接触することによって支持・固定される。
【００１８】
蓋部１１ｂは、上記のように収納部１１ａに装着したとき、当該蓋部１１ｂの下端部が収納部１１ａ底面部と概ね同様な高さとなるように構成してもよいが、例えば外周壁部２１の下側が外部へ露出するように蓋部１１ｂ側壁部の高さを適当に小さく構成してもよい。このとき、例えば図１に示した収納部１１ａのように、外周壁部２１の内側面と面一となる支持壁２２を、当該外周壁部２１の上端から突出させ、この支持壁２２と蓋部１１ｂ側壁部の内側面が接触するように設ける。
また、上記の支持壁２２を設けた場合には、外周壁部２１は、例えば適当な厚さを有して支持壁２２よりも外周方向へ突出し、収納部１１ａに装着した蓋部１１ｂが所定高さより降下しないように、外周壁部２１の上端部が蓋部１１ｂの下端部に接触して、下方から支持するように構成される。
【００１９】
以上のように本実施例によれば、搬送時などに積み重ねが行われた場合や、若干の外力が加えられた場合であっても、パン１０のかた崩れやつぶれを防ぐことができ、本来の外観、風味や食感等を維持することができる。
また、高品質に製造されたパン１０に相応する装飾を施すことによって、高級感を付加することができる。
【符号の説明】
【００２０】
１０パン
１１包装箱
１１ａ収納部
１１ｂ蓋部
１２ラッピングフィルム
１３封止シール
２１外周壁部
２２支持壁
【図１】
0003189011.tif 000003
【図２】
0003189011.tif 000004